(57)【要約】【課題】遠心ファンと熱交換器との配置関係により発生する風切り音、及びこの風切り音を抑制するために設置される整流部材に発生するＮＺ音をそれぞれ効果的に低減できるようにした空気調和機を提供すること。【解決手段】遠心ファンの吹出側となる遠心ファンの外周部に近接して配置された熱交換器を備えた空気調和機において、熱交換器の空気吸入面に整流部材（３０）が設けられている。整流部材（３０）は、遠心ファンからの空気流を整流する整流部（３１）と、熱交換器への取付機能を有する取付脚部（３２）とからなる。整流部（３１）は、基礎部（４１）と先端部（４２）とからなる。基礎部（４１）は、先端部（４２）を取り付ける取付部材として機能するとともに、遠心ファンからの空気流を低下させる壁面として機能する。先端部（４２）は、羽根との干渉時に圧力上昇を緩和するように空気を通過させる空気通過部を有する壁面として形成される。【選択図】図４
2013213620.tif 000002
【特許請求の範囲】
【請求項１】
羽根車（２２ａ）のシュラウド内周側の開口部（２２ｂ）から空気を吸入するとともに、この羽根車（２２ａ）の外周部（２２ｃ）から外周方向へ吹き出すように形成された遠心ファン（２２）と、前記羽根車（２２ａ）の外周部に対し少なくとも一部の空気吸入面（２３ａ）が近接するように配設されたプレートフィンコイル式の熱交換器（２３）と、前記羽根車（２２ａ）の外周部に近接する熱交換器（２３）の空気吸入面（２３ａ）において、プレートフィン間から遠心ファン（２２）に向けて突設するように前記熱交換器（２３）に取り付けられた整流部材（３０）とを備え、
前記整流部材（３０）は、遠心ファン（２２）の回転軸と平行な方向を長手方向とするとともに、熱交換器（２３）の空気吸入面（２３ａ）と略直角の方向に表面が形成された平面的なものであって、遠心ファン（２２）からの空気流を整流する整流部（３１）と、前記熱交換器（２３）への取付機能を有する取付脚部（３２）とからなり、
前記整流部（３１）は、遠心ファン（２２）からの空気流の流速を低下させるように機能するとともに、羽根との干渉時に圧力上昇を緩和するように空気を通過させる空気通過部を有する壁面として形成された先端部（４２）と、先端部（４２）を取り付ける取付部材として機能するとともに、遠心ファン（２２）からの空気流を低下させる壁面として機能する基礎部（４１）とからなる
ことを特徴とする空気調和機。
【請求項２】
請求項１記載の空気調和機において、
前記整流部（３１）における前記先端部は、メッシュ部材から形成されている
ことを特徴とする空気調和機。
【請求項３】
請求項２記載の空気調和機において、
前記取付脚部（３２）と前記整流部（３１）における前記基礎部（４１）とは、一体に形成された板状部材からなり、
前記整流部（３１）における前記先端部（４２）は、前記基礎部（４１）とは別体に形成されたシート状のメッシュ部材からなり、このメッシュ部材の一端が前記基礎部（４１）の一側面に取り付けられ、さらに、その他端が整流部（３１）の先端部で折り返されるとともに、前記基礎部（４１）の反対側の側面に取り付けられている
ことを特徴とする空気調和機。
【請求項４】
請求項２又は３に記載の空気調和機において、
前記整流部材（３０）は、ナイロンを素材として形成されている
ことを特徴とする空気調和機。
【請求項５】
請求項１記載の空気調和機において、
前記整流部（３０）における前記先端部（４２）は、毛部材が密集して植え付けられた壁面として形成されている
ことを特徴とする空気調和機。
【請求項６】
請求項５記載の空気調和機において、
前記整流部（３１）は、プラスチック製であって、シート状部材（４２ｂ）の一表面部の巾方向の中心部に、このシート状部材（４２ｂ）と同一の材料からなる毛部材（４２ａ）が長手方向に植毛され、毛部材（４２ａ）からなる壁面が構成されるとともに、前記シート状部材（４２ｂ）の両端が前記基礎部（４１）を構成する板部を挟みこむように折り返されて、シート状部材（４２ｂ）の両端部が前記基礎部（４１）の両表面部に取り付けられている
ことを特徴とする空気調和機。
【請求項７】
請求項５又は６に記載の空気調和機において、
前記整流部材（３０）は、ポリエステルを素材として形成されている
ことを特徴とする空気調和機。
【発明の詳細な説明】
【技術分野】
【０００１】
本発明は、空気調和機に関し、特に、遠心ファンとこの遠心ファンを取り囲む熱交換器との間に発生する騒音を抑制した空気調和機に関する。
【背景技術】
【０００２】
従来の空気調和機として、羽根車のシュラウド内周側の開口部から空気を吸い込み、羽根車の外周部から外周方向へ空気を吹き出すように構成された遠心ファンを用いるとともに、遠心ファンの吹出側にプレートフィンコイル式の熱交換器を配置したものがある。そして、この熱交換器の空気吸い込み面の少なくとも一部が羽根車の外周部に近接するように配置されているものがある。
【０００３】
このような空気調和機としては、例えば、特許文献１の天井埋込型の空気調和機がある。これを図８〜図１０に基づき説明する。この空気調和機は、図９に示されるように、天井穴部を覆うように化粧パネル１１０が取り付けられている。化粧パネル１１０には室内吸込口１１１と室内吹出口１１２とが形成されている。そして、天井内には、平面視略四角形の箱状のユニット本体１２０が取り付けられ、下端部において化粧パネル１１０に連続するように組み付けられている。このユニット本体１２０内の中央部には、図８に示すように、回転軸方向をほぼ鉛直方向として遠心ファン１２１が設けられている。また、この遠心ファン１２１の羽根車１２１ａを取り囲むようにＵ字形のプレートフィンコイル式の熱交換器１２２が設けられている。
【０００４】
この空気調和機は、図示しない室外ユニットに搭載された圧縮機および遠心ファン１２１が運転されることにより空調運転が行われる。空調運転に入ると、遠心ファン１２１は、シュラウド内周側の開口部１２１ｂを介して室内空気を吸い込み、図９に実線矢印で示すように羽根車１２１ａの外周部１２１ｃから外周方向へ空気を吹き出す。そして、遠心ファン１２１から吹き出された空気は、熱交換器１２２で熱交換されて、室内吹出口１１２から室内へ吹き出される。このようにして、空気調和運転は、図９に白抜き矢印で示すように室内吸込口１１１から室内空気を吸い込み、温度調節された空気が室内吹出口１１２から吹き出される。
【０００５】
ところで、斯かる空調運転時、遠心ファン１２１と熱交換器１２２との最接近位置Ａの近傍においは、熱交換器１２２のプレートフィンと遠心ファン１２１の直径方向とがほぼ平行になっており、プレートフィンの先端を斜めに通り過ぎる空気流の速度が速いため、風切り音が発生する。このように風切り音は、流速の速い空気流が熱交換器１２２の空気吸入面１２２ａにおいてプレートフィンに対して斜めに通り過ぎるために生ずるヒュルヒュル音である。そこで、特許文献１の空気調和機においては、プレートフィンに衝突する空気流の流速を落とすための整流板１３０を置き、風切り音を低減している。
【０００６】
しかし、整流板１３０は、遠心ファン１２１の羽根車と接近しているため、羽根車の羽根との干渉により所謂ＮＺ音を発生する。整流板１３０におけるＮＺ音の発生メカニズムは次のように考えられる。遠心ファン１２１の回転に伴って羽根が整流板１３０の近くを通過する瞬間に、整流板１３０の前後に大きな圧力差が発生する。そして、この大きな圧力差に起因して空気流が整流板１３０から剥離し、羽根が整流板１３０から遠ざかると空気流が整流板１３０に付着するという現象が発生する。ＮＺ音は、このような現象が周期的に繰り返されることにより発生する騒音であると考えられる。
【０００７】
そこで、特許文献１においては、このＮＺ音の発生を抑制するために、整流板１３０を図１０に示すように折れ曲がった形状に形成している。
この整流板１３０は、具体的には図８お及び図９に示すように、遠心ファン１２１とプレートフィンコイル式の熱交換器１２２の空気吸入面１２２ａとが最も接近する最接近位置Ａ（すなわち、遠心ファン１２１の中心線と熱交換器１２２の空気吸入面１２２ａとが直交する位置）よりもやや送風方向の下流側となる位置にそれぞれ取り付けられている。また、整流板１３０は、図１０に示すように、上下方向の中間部分１３１が回転軸方向に対し傾いた傾斜部となっている。整流板１３０が熱交換器１２２に取り付けられた状態においては、整流板１３０の上端部１３２が下端部１３３よりよりも送風方向の下流側に位置するように折り曲げられている。
【０００８】
特許文献１における整流板１３０は、このような構成とすることにより、整流板１３０全体として見れば遠心ファン１２１の羽根との距離が近くなる部分を少なくするとともに傾斜部を成す中間部分１３１により風向きをスムーズに変化させることにより、羽根通過時の圧力変化を抑制して、ＮＺ音を抑制するものである。
【先行技術文献】
【特許文献】
【０００９】
【特許文献１】特開２００３−２６９７３８号公報
【発明の概要】
【発明が解決しようとする課題】
【００１０】
しかしながら、特許文献１の整流板１３０は、上端部１３２の位置を、風切り音を抑制するための最適位置から下流側にずらせることになるため、整流板１３０を部分的に遠心ファン１２１から遠ざけたものと等しくなる。したがって、特許文献１の整流板１３０は、ＮＺ音を低減しているが、これと引き換えに風切り音の低減効果を犠牲にしていると考えられる。この点において、特許文献１の空気調和機は、なお改善の余地があった。
【００１１】
本発明は、このような観点に立ち、遠心ファンと熱交換器との配置関係により発生する風切り音、及びこの風切り音を抑制するために設置される整流部材に発生するＮＺ音をそれぞれ効果的に低減できるようにした空気調和機を提供することを目的とする。
【課題を解決するための手段】
【００１２】
請求項１に記載の発明に係る空気調和機は、羽根車のシュラウド内周側の開口部から空気を吸入するとともに、この羽根車の外周部から外周方向へ吹き出すように形成された遠心ファンと、前記羽根車の外周部に対し少なくとも一部の空気吸入面が近接するように配設されたプレートフィンコイル式の熱交換器と、前記羽根車の外周部に近接する熱交換器の空気吸入面において、プレートフィン間から遠心ファンに向けて突設するように前記熱交換器に取り付けられた整流部材とを備え、前記整流部材は、遠心ファンの回転軸と平行な方向を長手方向とするとともに、熱交換器の空気吸入面と略直角の方向に表面が形成された平面的なものであって、遠心ファンからの空気流を整流する整流部と、前記熱交換器への取付機能を有する取付脚部とからなり、前記整流部は、遠心ファンからの空気流の流速を低下させるように機能するとともに、羽根との干渉時に圧力上昇を緩和するように空気を通過させる空気通過部を有する壁面として形成された先端部と、先端部を取り付ける取付部材として機能するとともに、遠心ファンからの空気流を低下させる壁面として機能する基礎部とからなることを特徴とする。
【００１３】
上記構成によれば、整流部材は、基礎部及び先端部により遠心ファンから送風される空気流の流速を低下させることにより、風切り音を低下させる。また、整流部は、羽根が整流部材に近づいたときに、空気通過部から空気流の一部を整流部材の風下側に逃がすことができるので、整流部材の前後間で大きな圧力差が形成されることを回避することができ、ＮＺ音を抑制することができる。また、この整流部材は、遠心ファンの回転軸と平行な方向を長手方向とするとともに、熱交換器の空気吸入面と略直角の方向に表面が形成された平面的なものであるので、全体として風切り音を抑制するために最適と考えられる位置に配置することができる。したがって、本発明に係る空気調和機においては、風切り音及びＮＺ音を効果的に低減させることができる。
【００１４】
請求項２に記載の発明は、請求項１記載の空気調和機において、前記整流部における前記先端部は、メッシュ部材から形成されていることを特徴とする。
上記構成によれば、一般市販のメッシュ部材の仕様を選択することにより、メッシュ部材の開口面積、すなわち、本整流部における空気通過部の開口面積を調節することができる。また、本整流部における空気通過部の開口面積を調節することにより、適正なＮＺ音抑制効果を得ることができる。
【００１５】
請求項３に記載の発明は、請求項２記載の空気調和機において、前記取付脚部と前記整流部における前記基礎部とは、一体に形成された板状部材からなり、前記整流部における前記先端部は、シート状のメッシュ部材からなり、このメッシュ部材の一端が前記基礎部の一側面に取り付けられ、さらに、その他端が整流部の先端部で折り返されるとともに、前記基礎部の反対側の側面に取り付けられていることを特徴とする。
【００１６】
上記構成によれば、取付脚部と基礎部とを一体に形成された板状部材とするとともに、これら部分からなる板状部材と先端部とを別部材としているので、適正なメッシュ部材を容易に選択することができる。また、メッシュ部材をシート状とし、このシート状のメッシュ部材を折り返してその端部を板状の基礎部の側面に取り付けているので、基礎部に対しシート状のメッシュ部材を容易に取り付けることができる。
【００１７】
請求項４に記載の発明は、請求項２又は３記載の空気調和機において、前記整流部材は、ナイロンを素材として形成されていることを特徴とする。
上記構成によれば、整流部材がナイロン素材から形成されているので、適正な強度や剛性の整流部を構成することができる。
【００１８】
請求項５に記載の発明は、請求項１記載の空気調和機において、前記整流部における前記先端部は、毛部材が密集して植え付けられ、密集して植え付けられた壁面として形成されていることを特徴とする。
【００１９】
上記構成によれば、毛部材の材料、太さなどの素材の仕様、及び取付密度などの植毛仕様を選択することにより、毛部材間に形成される空気通過部の開口面積を調節することができる。また、本整流部における空気通過部の開口面積を調節することにより、適正なＮＺ音抑制効果を得ることができる。
【００２０】
請求項６に記載の発明は、請求項５記載の空気調和機において、前記整流部は、プラスチック製であって、シート状部材の一表面部の巾方向の中心部に、このシート状部材と同一の材料からなる毛部材が長手方向に植毛され、毛部材からなる壁面が構成されるとともに、前記シート状部材の両端が前記基礎部を構成する板部を挟みこむように折り返されて、シート状部材の両端部が前記基礎部の両表面部に取り付けられていることを特徴とする。
【００２１】
上記構成によれば、プラスチック製シート状部材の一表面部の巾方向の中心部に毛部材を植毛するので、従来公知の植毛技術を駆使して容易に植毛を行うことができる。また、このように毛部材が植毛されたシート状部材を介して毛部材を基礎部に取り付けるようにしているので、基礎部に対し毛部材からなる先端部を容易に取り付けることができる。
【００２２】
請求項７に記載の発明は、請求項６記載の空気調和機において、前記整流部材は、ポリエステルを素材として形成されていることを特徴とする。
上記構成によれば、整流部材がポリエステル素材から形成されているので、適正な強度や剛性の整流部を構成することができる。
【発明の効果】
【００２３】
本発明によれば、整流部材は、基礎部及び先端部により風切り音を低下させることができる。また、整流部材は、先端部に空気通過部が形成されているので、ＮＺ音を抑制することができる。また、この整流部材は、全体として風切り音を抑制するために最適と考えられる位置に配置することができる。したがって、本発明に係る空気調和機においては、風切り音及びＮＺ音を効果的に低減させることができる。
【図面の簡単な説明】
【００２４】
【図１】本発明の実施の形態１に係る空気調和機の室内機の外観斜視図である。
【図２】同空気調和機におけるユニット本体の内部の機器配置を示した下面図である。
【図３】同空気調和機の内部の機器配置を示した側断面図である。
【図４】同空気調和機における整流部材の斜視図である。
【図５】図４におけるＶ−Ｖ断面図である。
【図６】本発明の実施の形態２に係る空気調和機における整流部材の斜視図である。
【図７】同整流部材における毛部材の取付要領図である。
【図８】従来例に係る空気調和機におけるユニット本体の内部の機器配置を示した下面図である。
【図９】同空気調和機の内部の機器配置を示した側断面図である。
【図１０】同空気調和機における整流板を示す図であって、（ａ）は側面図、（ｂ）は正面図である。
【発明を実施するための形態】
【００２５】
（実施の形態１）
以下図１〜図５を参照しながら、本発明の実施の形態１について説明する。
実施の形態１に係る空気調和機は、天井埋込型の空気調和機である。この空気調和機は、図１〜図３に示されるように、化粧パネル１０とこの化粧パネル１０の上方に連結されるユニット本体２０とから構成されている。化粧パネル１０は天井材１に取り付けられている。ユニット本体２０は、天井裏の建築構造部材（不図示）に対し吊り下げられるように取り付けられている。
【００２６】
化粧パネル１０は、図１に示すように、平面視略正方形であって、中央部が下方に突出した平面を形成している。そして、この中央部の平面部に室内吸込口１１が形成されている。また、化粧パネル１０は、室内吸込口１１の外周側の四辺の傾斜面部それぞれに室内吹出口１２が形成されている。なお、図３に示すように、室内吸込口１１の内側にはエアフィルタ１３が取り付けられている。
【００２７】
ユニット本体２０は、図２に示すように、平面視略正方形の箱形の本体ケーシング２１内における中央部に遠心ファン２２が取り付けられている。遠心ファン２２の外周部には、平面配置的に見て遠心ファン２２を取り囲む形状に形成されたプレートフィンコイル式の熱交換器２３が取り付けられている。そして、図３に示すように熱交換器２３の下方部にはドレンパン２４が取り付けられ、遠心ファン２２と室内吸込口１１との間にはベルマウス２５が取り付けられている。
【００２８】
遠心ファン２２は、図３に示すように、羽根車２２ａのシュラウドの内周側に形成された開口部２２ｂから空気を吸入するとともに、羽根車２２ａの外周部２２ｃから外周方向へ吹き出すように形成されたターボファンである。この遠心ファン２２は、回転軸が鉛直方向となるように配置され、本体ケーシング２１の天面に取り付けられたモータ２２ｄにより駆動される。なお、この実施の形態において、遠心ファン２２は、羽根車２２ａの回転軸が鉛直方向とされるとともに、羽根車２２ａのシュラウドの開口部２２ｂが下方となるように配置されている。また、羽根車２２ａの外周部は側方に向いている。そして、羽根車２２ａは、図２に示される破線矢印Ｒの方向に回転され、羽根車２２ａの外周部２２ｃから、外周方向の熱交換器２３に向かって実線矢印のように吹き出されている。
【００２９】
熱交換器２３は、プレートフィンコイルであって、図２に示すように、一部円弧状に形成されているが本体ケーシング２１の四つの側面に平行する略四辺形に折り曲げられている。なお、熱交換器２３の両端部は、本体ケーシング２１の一つの角部２１ａにおいて出会うように形成されている。そして、熱交換器２３は、この角部２１ａにおいて、室外ユニットと連絡する配管（不図示）に接続されている。また、このように略四辺形に形成された熱交換器２３と本体ケーシング２１の各側面との間が、室内吹出口１２へ連通する空気通路に形成されている。
【００３０】
上記構成の遠心ファン２２と熱交換器２３とは、本体ケーシング２１の各辺の略中央となる部位において最接近する。そして、図２に示すように、四つの最接近位置Ａのやや下流側における熱交換器２３の空気吸入面２３ａには、プレートフィン間から遠心ファン２２に向かって突出するように平面状の整流部材３０が取り付けられている。
【００３１】
整流部材３０は、遠心ファン２２と熱交換器２３の最接近位置Ａの近傍において発生する風切り音を低減させるとともに、この整流部材３０と遠心ファン２２との干渉により発生するＮＺ音を低減させるものである。
【００３２】
整流部材３０は、図２及び図３に示すように、遠心ファン２２の回転軸と平行な方向を長手方向とするとともに、熱交換器２３の空気吸入面２３ａと略直角の方向に表面が形成された平板状のものである。また、整流部材３０は、図４及び図５に示すように、遠心ファン２２からの空気流を整流する整流部３１と、熱交換器２３への取付機能を有する取付脚部３２とからなる。
【００３３】
整流部３１は、基礎部４１と、基礎部４１に取り付けられる先端部４２とからなる。基礎部４１は、遠心ファン２２からの空気流の流速を低下させる壁面として機能するとともに、先端部４２を取り付ける取付部材としても機能する。先端部４２は、遠心ファン２２からの空気流の流速を低下させるように機能するとともに、遠心ファン２２の羽根の干渉時に上昇する圧力を逃がすための空気通過部を有する。
【００３４】
整流部材３０において、基礎部４１と取付脚部３２とは一体に形成され、先端部４２は別体に形成されている。そして、別体に形成された先端部４２が基礎部４１に取り付けられている。
【００３５】
基礎部４１は、厚み寸法の小さい平板状をなした部分であって、熱交換器２３の空気吸入面２３ａから突出して位置する。基礎部４１の長手方向の寸法は、羽根車２２ａの高さ寸法に同等またはそれ以上の寸法に形成されている。基礎部４１の巾寸法は、熱交換器２３の空気吸入面２３ａから遠心ファンに向かって突出する適正な寸法として形成されている。基礎部４１の厚さ寸法は、プレートフィン間の寸法に略等しい寸法に形成されている。基礎部４１は、このように平板状をなして熱交換器２３の空気吸入面２３ａから突出するように形成されていることにより、プレートフィン端部を流れる空気流の流速を抑制するものである。
【００３６】
先端部４２は、シート状のメッシュ部材からなる。シート状のメッシュ部材は、一端が板状の基礎部４１の一側面に固着され、さらに、他端が整流部３１の先端部で折り返されて、基礎部４１の反対側の側面に戻され、この反対側の側面に固着されている。先端部４２は、このような構造物であって、メッシュ部材のメッシュにより空気を通過させる空気通過部が形成されている。空気通過部は、羽根がこの整流部材３０の先端を通過するときに、圧力上昇する空気流の流れを逃がすことにより、ＮＺ音を抑制する機能を有する。また、このような空気通過部を備えた先端部４２は、空気流の流速を軽減する壁面としても機能する。
【００３７】
このために、シート状のメッシュ部材は、適正な強度及び剛性を備えたナイロン素材から形成されている。また、前述の基礎部４１と取付脚部３２も同一のナイロン素材から形成されている。メッシュ部材のメッシュの仕様及び巾方向の寸法（基礎部４１から遠心ファン２２に向かって突出する寸法）は、ＮＺ音の低減効果及び風切り音の低減効果を最大とするように実験的に選択される。
【００３８】
取付脚部３２は、基礎部４１の両端付近から突出するように形成された突出部分であって、この突出部分の端部に、プレートフィンコイルの熱交換器チューブに嵌合される嵌合部を形成する二股部分３２ａが形成されている。また、二股部分３２ａと基礎部４１との間に形成されている平面部には嵌合時に二股部分３２ａを拡げて熱交換器チューブとの嵌合を容易とするように、スリット３２ｂが形成されている。この取付脚部３２は、熱交換器２３に対し、熱交換器２３の空気吸入面２３ａからプレートフィン間に差し込まれ、二股部分３２ａが熱交換器チューブに嵌合されることにより、整流部材３０を熱交換器２３の空気吸入面２３ａに取り付けられる。したがって、二股部分３２ａの間隔は、取り付けようとする熱交換チューブの間隔寸法に合うように形成されている。
【００３９】
以上のように構成された本実施の形態に係る空気調和機の作用について述べる。
先ず、本実施の形態に係る空気調和機における空調運転について説明する。
この空気調和機は、図示しない室外ユニットに搭載された圧縮機および遠心ファン２２が運転されることにより空調運転が行われる。空調運転に入ると、遠心ファン２２は、シュラウド内周側の開口部２２ｂを介して室内空気を吸い込み、図２に実線矢印で示すように羽根車２２ａの外周部２２ｃから外周方向に空気を吹き出す。そして、遠心ファン２２から吹き出された空気が、熱交換器２３で熱交換されて、室内吹出口１２を介して室内へ吹き出される。このようにして、空気調和運転は、図３に白抜き矢印で示すように室内吸込口１１から室内空気を吸い込み、温度調節された空気が室内吹出口１２から吹き出される。
【００４０】
次にこのような空調運転が行われるときの整流部材３０の作用について、さらに説明する。
この空気調和機においては、遠心ファン２２の外周部２２ｃからその外周部を取り巻くように配置された熱交換器２３に向かって空気が吹き出される。このため、整流部材３０がなければ、遠心ファン２２と四辺の熱交換器２３の空気吸入面２３ａとのそれぞれの最接近位置Ａの付近において、流速の早い空気が熱交換器２３のプレートフィンに対して斜め方向から衝突し、これにより、風切り音（ヒュルヒュル音）が発生する。
【００４１】
ところが、本実施の形態に係る空気調和機においては、熱交換器２３の四辺の空気吸入面２３ａそれぞれにおいて、最接近位置Ａのやや下流側に整流部材３０が取り付けられている。このため、整流部材３０の上流側では、整流部材３０の整流部３1により風が遮られるため、熱交換器２３のプレートフィンを横切る空気流の流速が低下され、風切り音が低減される。また、整流部材３０の下流側においては、遠心ファン２２から吹き出された空気流が整流部材３０の先端を乗り越えて熱交換器２３に流入するため、風向きが変わるとともに熱交換器２３のプレートフィンを横切る空気流の流速が低下するので、風切り音が低減される。
【００４２】
また、この整流部材３０の先端部４２が単なる板部材の場合は、遠心ファン２２の回転に伴って羽根が整流部材３０の近くを通過する瞬間に、整流部材３０の前後に大きな圧力差が発生する。そして、この大きな圧力差に起因して空気流が整流部材３０から剥離し、羽根が整流部材３０から遠ざかると空気流が整流部材３０に付着するという現象が発生する。このような現象が周期的に繰り返されることにより所謂ＮＺ音と称される騒音が発生する。
【００４３】
ところが、本実施の形態に係る空気調和機においては、整流部材３０の整流部３１における先端部４２には、羽根との干渉時に圧力上昇を緩和するように空気を通過させる空気通過部が形成されているので、羽根が整流部材３０に近づいたときに、空気通過部から空気流の一部を整流部材３０の風下側に逃がすことができる。これにより、整流部材３０の前後間で大きな圧力差が形成されることを回避することができ、ＮＺ音を抑制することができる。
【００４４】
本実施の形態に係る空気調和機は、以上のように構成されているので、次のような効果を奏することができる。
（１）整流部材３０は、羽根車２２ａの外周部に近接する熱交換器２３の空気吸入面２３ａにおいて、プレートフィン間から遠心ファン２２に向けて突設するように形成されているので、基礎部４１及び先端部４２により、整流部材３０の風上側及び風下側の空気流を低下させることができ、これにより風切り音を低下させることができる。また、整流部３１は、羽根が整流部材３０に近付いたときに、空気通過部から空気流の一部を整流部材３０の風下側に逃がすことができるので、整流部材３０の前後間で大きな圧力差が形成されることを回避することができ、ＮＺ音を抑制することができる。
【００４５】
（２）また、この整流部材３０は、遠心ファン２２の回転軸と平行な方向を長手方向とするとともに、熱交換器２３の空気吸入面２３ａと略直角の方向に表面が形成された平面的なものであるので、全体として風切り音を抑制するために最適と考えられる位置に配置することができる。したがって、本発明に係る空気調和機においては、風切り音及びＮＺ音を効果的に低減させることができる。
【００４６】
（３）整流部材３０の先端部４２は、メッシュ部材から形成されているので、一般市販のメッシュ部材の仕様を選択することにより、整流部３１における空気通過部の開口面積を調節することができる。このように、整流部３１における空気通過部の開口面積を調節することにより、適正なＮＺ音抑制効果を得ることができる。
【００４７】
（４）取付脚部３２と整流部３１の基礎部４１とは、一体に形成された板状部材からなる。そして、先端部４２を構成するメッシュ部材は、一端が基礎部４１の一側面に取り付けられ、他端が整流部３１の先端部４２で折り返されて基礎部４１の反対側の側面に取り付けられている。このように、先端部４２は、板状の取付脚部３２及び基礎部４１とは別体に形成されているので、適正なメッシュ部材を容易に選択することができる。また、メッシュ部材を基礎部４１に対して容易に取り付けることができる。
【００４８】
（５）整流部材３０は、ナイロンを素材として形成されているので、適正な強度や剛性を備えることができる。
（実施の形態２）
次に実施の形態２について、図６および図７に基づき説明する。
【００４９】
実施の形態２は、整流部材の構成を一部変更したものであって、空気調和機に係るその他の構成は実施の形態１と同一である。以下実施の形態２の整流部材について、実施の形態１との相違点を中心に説明する。なお、実施の形態１と同一の構成要素には同一の符号を付し、その説明を省略又は簡略化する。
【００５０】
実施の形態２に係る整流部材３０は、実施の形態１と同様に、風切り音とＮＺ音とを低減することを目的としたものである。その基本的構成は、実施の形態１と同様であって、取付脚部３２と整流部３１とにより形成されている。さらに、整流部３１は、実施の形態１の場合と同様に、基礎部４１と先端部４２から構成されている。しかし、整流部３１における先端部４２の構成が大きく異なる。
【００５１】
先端部４２は、実施の形態１の場合と異なり、毛部材４２ａにより空気通過部を有する壁面として構成されている。また、先端部４２は、図７に示すように、一定巾のシート状部材４２ｂの中心部において、ポリエステルを素材とした毛部材４２ａが長手方向に植毛されている。この植毛は、毛部材４２ａをＵ字状に形成し、そのＵ字上の曲げ部においてシート状部材４２ｂに対し、毛部材４２ａを密集させて固着している。
【００５２】
整流部３１における基礎部４１は、実施の形態１と同様の形状のものであるが、材料については先端部４２を構成する毛部材４２ａと同様のポリエステル素材を使用したプラスチック成形品として形成されている。
【００５３】
そして、図６に示すように、毛部材４２ａを密集して植毛したシート状部材４２ｂの巾方向の中央部が基礎部４１の遠心ファン２２側の端面に位置するように、相互の長手方向同士を沿わせている。これにより、基礎部４１の端面上に毛部材４２ａが長手方向に立設される状態となる。ここで、シート状部材４２ｂを図７に示す２点鎖線の矢印のように折り曲げ、シート状部材４２ｂで基礎部４１の端部を包み込むようにして図６に示した状態とし、シート状部材４２ｂを基礎部４１の端部に固着している。
【００５４】
実施の形態２の空気調和機は以上のように構成されているので、実施の形態１に係る（１）及び（２）の効果を奏するとともに、次の効果を奏することができる。
（６）整流部材３０の先端部４２は、毛部材４２ａから形成されているので、毛部材４２ａの材料、太さなどの素材の仕様、及び取付密度などの植毛仕様を選択することにより、毛部材４２ａ間に形成される空気通過部の開口面積を調節することができる。また、整流部３１における空気通過部の開口面積を調節することにより、適正なＮＺ音抑制効果を得ることができる。
【００５５】
（７）毛部材４２ａは、プラスチック製であるシート状部材４２ｂの一表面部の巾方向の中心部において長手方向に植毛されるので、植毛を容易に行うことができる。また、毛部材４２ａは、このようにシート状部材４２ｂに植毛された状態で基礎部４１に取り付けられるので、基礎部４１に対し毛部材４２ａからなる先端部４２を容易に取り付けることができる。
【００５６】
（８）整流部材３０は、ポリエステル素材から形成されているので、適正な強度や剛性の整流部を構成することができる。
（変形例）
本発明の空気調和機は、上記実施の形態に限定されることなく、以下の変形例も可能である。なお、以下の変形例は、異なる変形例同士を適宜互いに組み合わせてもよい。
【００５７】
・整流部材３０を形成する素材は、先の実施の形態に挙げた材料に限られるものではなく、風切り音、ＮＺ音を低減するのに適した強度、剛性を備え、経年変化の少ないものであれば他のものでもよい。
【００５８】
・実施の形態１及び実施の形態２において、シート状のメッシュ部材の基礎部４１への取り付けや、実施の形態２における毛部材４２ａを植毛したシート状部材４２ｂの基礎部４１への取り付けは、以上のようなものには限定されない。例えば、基礎部４１の片方の面や、端面のみに固着して取り付けたものでもよい。
【００５９】
・先端部４２として毛部材４２ａを使用する場合の植毛構造は、実施の形態２に例示したものに限定されない。例えば、毛部材４２ａとして１本の根元に対し途中で毛が分岐されるような毛部材を用いてもよい。また、植毛方法としても他の適切な方法を用いてもよい。
【００６０】
・整流部材３０の取付位置や、詳細寸法は、適用される空気調和機の構造、遠心ファン２２等の仕様により画一的には決め難いので、実験的に適切な位置、形状等を定めることが好ましい。
【００６１】
・前記実施の形態においては、天井埋込型の空気調和機を例に掲げて説明しているが、このような構成は、他の形態の空気調和機にも適用することもできる。例えば、天吊下げ型空気調和機や壁掛型空気調和機などにも適用することができる。前者の場合は、遠心ファンや熱交換器を、前記天井埋込型の空気調和機と同様に配置して形成することができる。後者の壁掛型の空気調和機の場合は、遠心ファン２２の回転軸を前後方向とし、前面又は背面側にシュラウド内周側の開口部２２ｂを向けるとともに、外周部２２ｃから外周方向への吹出を左右方向に調整し、この左右方向に熱交換器２３を配置するような構成とすることも可能である。
【符号の説明】
【００６２】
２２…遠心ファン、２２ａ…羽根車、２２ｂ…開口部、２２ｃ…外周部、２３…熱交換器、２３ａ…空気吸入面、３０…整流部材、３１…整流部、３２…取付脚部、４１…基礎部、４２…先端部、４２ａ…毛部材、４２ｂ…シート状部材。
【図１】
2013213620.tif 000003
【図２】
2013213620.tif 000004
【図３】
2013213620.tif 000005
【図４】
2013213620.tif 000006
【図５】
2013213620.tif 000007
【図６】
2013213620.tif 000008
【図７】
2013213620.tif 000009
【図８】
2013213620.tif 000010
【図９】
2013213620.tif 000011
【図１０】
2013213620.tif 000012